(57)【要約】【課題】  頬骨弓骨折の治療において、整復した後の頬骨弓が動かないようにでき、しかもその動かない状態が維持できるようにした頬骨弓安定具を提供する。【解決手段】  頬骨弓安定具Ｋは、固定補助体１と、ポンプ装置２と、これらを繋ぐ管体３を備えている。固定補助体１は、外管体１０と内管体１１を備えている。固定補助体１の先端の外管体１０と内管体１１の隙間１４は、閉塞部１２によって閉塞してある。外管体１０は、頬骨弓Ｂの内方側に配置される凹部形成部１０１と、凹部形成部１０１の両側に設けてある膨縮部１００，１００ａを備えている。膨縮部１００，１００ａは、ポンプ装置２から送られた空気によって膨らんで、頬骨弓Ｂの上部側と下部側からこの頬骨弓Ｂを挟んで、整復した状態で動かないよう安定させる。【選択図】        図１
2008188029.tif 000002
【特許請求の範囲】
【請求項１】
内方に折れた頬骨弓を整復した状態で動かないよう安定させる頬骨弓安定具であって、
頬骨弓の内方側に配置される凹部形成部を有し、当該凹部形成部の両側に膨らんだり縮んだりする膨縮部(100,100a)が設けてある固定補助体(1)と、
作動流体を送って上記膨縮部(100,100a)を膨らませたり、作動流体を引いて上記膨縮部(100,100a)を縮めたりする流体制御手段と、
流体制御手段と固定補助体(1)とを繋いでおり、作動流体が内部を流通可能な管体(3)と、
を備えていることを特徴とする、
整復後の頬骨弓安定具。
【請求項２】
体液を吸引して体外へ排出する手段が設けてあることを特徴とする、
請求項１記載の整復後の頬骨弓安定具。
【発明の詳細な説明】
【技術分野】
【０００１】
本発明は整復後の頬骨弓安定具に関する。更に詳しくは、頬骨弓骨折の治療において、整復した後の頬骨弓が動かないよう安定でき、しかもその動かない状態が維持できるようにした整復後の頬骨弓安定具に関する。
【背景技術】
【０００２】
顔面骨骨折のひとつに頬骨弓が外力を受けて内方に折れる頬骨弓骨折がある。頬骨弓骨折は、頬骨弓の三、四箇所が折れて内方に陥没した状態となることが多い（図５、図６参照）。
【０００３】
頬骨弓の外側部分には顔面神経という重要な神経が通っているので、従来、頬骨弓骨折の整復は、頬骨弓の外側部分を切り開くことができず、それより上側のこめかみの辺りに切り込みを入れ、そこから頬骨弓に届くよう筋肉と筋膜との間に金属のへら状の器具を下向きに差し込み、前記のへらによって頬骨弓を外方に押しやって行っている。頬骨弓骨折治療では、整復された頬骨弓は、通常、器具等によって固定されない。従って、整復後はそのまま繋がるまで安静状態が維持される。
【０００４】
なお、特許文献１には、骨折した骨の整列および安定化を図るようにする骨折合板が開示されており、当該文献には頬骨弓を整復した状態で固定するようにした図が描かれている。
【０００５】
【特許文献１】特開昭６３−２７００４４号公報
【発明の開示】
【発明が解決しようとする課題】
【０００６】
しかし、上記したような頬骨弓骨折の治療には、次のような課題があった。
まず、特許文献１に開示してある骨折合板を使ったものは、手術が頭頂部から顔の前半分の皮膚を剥いで行うような全身麻酔を必要とする大掛かりなものになるので、患者への負担も大きく現実的な治療方法でない。従って、このような治療方法は通常採用されない。
【０００７】
従って、頬骨弓骨折治療では、上記前者の方法が採用されることが多い。しかし、この場合では、整復された頬骨弓が器具等によって固定されておらず、骨折箇所が繋がるまで安静状態を保つ必要があったので、患者に多大な苦痛を負わせてしまうという課題があった。
【０００８】
また、骨折箇所が固定されていないので不注意によって外力が加わり、これによって頬骨弓が正常な位置からずれてしまうことがあった。ずれてしまった頬骨弓を元の状態に戻すためには再び手術をする必要があり、更に患者に負担を負わせることになる。
【０００９】
更に、頬骨弓骨折は、頬骨弓のつけ根部分など、その折れ方によっては整復した状態を安定して維持することが難しい場合があり、このような折れ方では元の状態に戻らずずれた状態で繋がってしまうこともあった。このまま繋がると頬骨弓部分に凹みが形成されてしまうので見た目が悪くなる。
【００１０】
本発明の目的は、頬骨弓骨折の治療において、整復した後の頬骨弓が動かないよう安定でき、しかもその動かない状態が維持できるようにする整復後の頬骨弓安定具を提供することにある。
【課題を解決するための手段】
【００１１】
上記目的を達成するために本発明が講じた手段は次のとおりである。
第１の発明にあっては、
内方に折れた頬骨弓を整復した状態で動かないよう安定させる頬骨弓安定具であって、
頬骨弓の内方側に配置される凹部形成部を有し、当該凹部形成部の両側に膨らんだり縮んだりする膨縮部が設けてある固定補助体と、
作動流体を送って上記膨縮部を膨らませたり、作動流体を引いて上記膨縮部を縮めたりする流体制御手段と、
流体制御手段と固定補助体とを繋いでおり、作動流体が内部を流通可能な管体と、
を備えていることを特徴とする、
整復後の頬骨弓安定具である。
【００１２】
第２の発明にあっては、
体液を吸引して体外へ排出する手段が設けてあることを特徴とする、
第１の発明に係る整復後の頬骨弓安定具である。
【００１３】
（作  用）
本発明に係る整復後の頬骨弓安定具は、次のようにして使用する。
まず、従来から行われている施術方法により、内方に折れた頬骨弓を整復する。そして、その際に使用した器具によってできた筋肉と筋膜との隙間に、固定補助体を膨縮部を縮めた状態で差し込んで入れる。固定補助体は、レントゲン写真（撮像）等を診ながら、凹部形成部が頬骨弓と対応し、膨縮部が頬骨弓の内方側にあたる上部側と下部側に設けられるよう配置する。
【００１４】
次に、流体制御手段を操作して作動流体を固定補助体に送る。こうして膨縮部が膨らみ、頬骨弓は凹部形成部によって内方側から押さえられたような状態になり、かつ膨縮部によって挟まれた状態となって、整復した状態で動かず、しかもその動かない状態が維持できる。
本発明に係る頬骨弓安定具は、膨縮部内の作動流体を引いて縮ませた状態で抜いて取り外される。
【００１５】
体液を吸引して体外へ排出する手段を備えたものは、固定補助体を体内に設けた状態でその周りに血液等の体液が溜まったような場合において、体液を吸引して体外へ排出することができる。
【発明の効果】
【００１６】
本発明は上記構成を備え、次の効果を有する。
（ａ）本発明に係る整復後の頬骨弓安定具によれば、整復した後の頬骨弓が動かないよう安定でき、しかもその状態が維持できるので、多少の外力が加わった場合でも正常な位置からずれ難くなる。従って、患者は今までのような安静状態でなく、ある程度通常と同じような生活をしながら治療できる。つまり、頬骨弓骨折の治療において患者の負担を軽減することができる。
【００１７】
（ｂ）また、本発明に係る整復後の頬骨弓安定具は、整復した後の頬骨弓が動かないよう安定でき、しかもその状態が維持できるので、例えば、頬骨弓のつけ根部分など、整復した状態を安定して維持することが難しかったような骨折でも、整復後にずれてしまう前に動かないようにすることができる。従って、本発明に係る頬骨弓安定具は、このような折れ方の場合でも元の状態に戻すことができる。
【００１８】
（ｃ）本発明に係る整復後の頬骨弓安定具は、流体制御手段により作動流体を固定補助体に送って膨縮部を膨らませるだけの操作なので、取り扱いが簡単である。従って、整復後の頬骨弓安定具は操作に熟練を要さない。
【００１９】
（ｄ）体液を吸引して体外へ排出する手段を備えたものは、固定補助体を体内に設けた状態でその周りに血液等の体液が溜まったような場合において、体液を吸引して体外へ排出することができる。
【発明を実施するための最良の形態】
【００２０】
本発明の実施の形態を図面に基づき更に詳細に説明する。
図１は本発明に係る頬骨弓安定具の一実施の形態を示す説明図、
図２は図１に示す頬骨弓安定具の先端に設けた固定補助体を示す拡大説明図である。
なお、図２（ａ）は固定補助体の膨縮部を縮めた状態を示しており、図２（ｂ）は固定補助体の膨縮部を膨らませた状態を示している。
【００２１】
符号Ｋは整復後の頬骨弓安定具を示している。頬骨弓安定具Ｋは、内方に折れた頬骨弓Ｂ（図５，図６参照）を整復した状態で、保持し安定するものである。
【００２２】
頬骨弓安定具Ｋは、整復した頬骨弓Ｂの内方側に設けられる固定補助体１と、流体制御手段であるポンプ装置２と、固定補助体１とポンプ装置２を繋ぐ管体３を備えて構成されている。
【００２３】
固定補助体１は、外管体１０と、外管体１０内に挿入して二重管構造を有するよう設けてある内管体１１を備えている。固定補助体１の先端は、外管体１０と内管体１１の間が閉塞部１２によって気密（または液密）状態になるよう閉塞してあり、内管体１１は開口部１３によって開口状態になるよう形成してある。外管体１０と内管体１１の間に形成された隙間１４には、空気等の流体が流通可能である。固定補助体１を構成する外管体１０と内管体１１は、変形性、柔軟性及び伸縮性を有する合成樹脂で形成してある。
【００２４】
外管体１０には、頬骨弓Ｂの内方側に配置される凹部形成部１０１と、凹部形成部１０１の両側に設けてあり、膨らんだり縮んだりして外形が変形する膨縮部１００，１００ａが設けてある。凹部形成部１０１は、両方の膨縮部１００，１００ａが膨らむことで相対的に凹んで凹形状を形成する。本実施の形態で外管体１０は、膨縮部１００にあたる部分の管厚を凹部形成部１０１や他の部分よりも薄くなるよう形成して、このことによって外管体１０と内管体１１の隙間１４に空気等の流体が送られたときに膨縮部１００が膨らみ、凹部形成部１０１は変形しないようにしてある。
【００２５】
ポンプ装置２は、固定補助体１の膨縮部１００，１００ａに流体を送ったり引いたり（抜いたり）して、この膨縮部１００，１００ａを膨らませたり縮めたり制御するものである。ポンプ装置２は、筒形状を有するシリンダ部材２０と、このシリンダ部材２０の内部で内壁に密着しながら往復運動でき、固定補助体１に流体を送ったり引いたりするピストン部材２１を備えている。シリンダ部材２０の先端部には、管体３と接続するための径小な短管状の接続管２２が設けてある。また、シリンダ部材２０の基端部には、ピストン部材２１の操作時に指を掛ける指掛部２００が形成してあり、ピストン部材２１の基端部には、ピストン部材２１を押圧するときに指を載せる指載部２１０が形成してある。本実施の形態においてポンプ装置２は、一般的に使用されている合成樹脂製の注射器を使用している。
【００２６】
管体３は、所要長さを有しており固定補助体１の外管体１０の基端部と気密（または液密）状態で接続してある外管３０と、外管３０内に通して二重管構造を有するよう設けてあり、内管体１１の基端部と気密（または液密）状態で接続してある内管３１を備えている。外管３０と内管３１の間に形成された隙間３４には、空気等の流体が流通可能である。外管３０は内管３１よりも長さが短く、外管３０の基端部から内管３１が所要長さ延びた状態になっている。
【００２７】
外管３０の基端部には、内管３１を通す内管挿通路３２０と、内管挿通路３２０から分岐してあり、外管３０と内管３１の間に形成された隙間３４に流体を流通させることができるようにする流通路３２１を備えた分岐管３２が接続してある。分岐管３２は、内管挿通路３２０の先端部が外管３０と気密（液密）状態になるよう接続してあり、内管挿通路３２０の基端部については内部を通って出た内管３１と気密（または液密）状態になるよう接続してある。
【００２８】
流通路３２１の基端部には弁装置３３が取り付けてある。弁装置３３は、ポンプ装置２側から送られた空気等の流体を一方向に通し、操作したときだけ送った流体を引くことができる公知の逆止弁構造を有している。弁装置３３には、上記したポンプ装置２の接続管２２が接続してある。
【００２９】
内管挿通路３２０を通って出た内管３１の基端部には、内管体１１の先端に設けた開口部１３から内管３１内部を通して体液等が吸引できるようにする手段である吸引装置（図示省略）を接続するための接続部３１０が設けてある。接続部３１０には吸引装置が接続される。
【００３０】
（作  用）
図３は整復した頬骨弓の内方側に固定補助体を配置し、膨縮部を膨らませて頬骨弓が動かないよう安定させた状態を示す要部拡大説明図、
図４は図３に示す状態を下側から断面視して示す説明図である。
図５は右側の頬骨弓の骨折状態を示す説明図を表している。
図６は図５に示す頬骨弓の骨折状態を下側から断面視して示す説明図を表している。
図４及び図６において示す二点鎖線（想像線）は顔面の輪郭を示している。
【００３１】
図１ないし図６を参照し、本実施の形態で示す頬骨弓安定具Ｋを使用して、整復した頬骨弓が動かないよう安定化する方法及び作用を説明する。
まず、従来から行われている施術方法により、内方に折れた頬骨弓Ｂを整復する。頬骨弓Ｂの整復は、上記したようにこめかみの辺りに切り込みを入れ、そこから頬骨弓Ｂに届くよう筋肉と筋膜との間に金属のへら状の器具を下向きに差し込み、前記したへらによって頬骨弓Ｂを外方に押しやって行われる。そして、頬骨弓Ｂは図３，図４に示す状態になるよう整復される。頬骨弓Ｂの整復後、へら状の器具を引き抜く。
【００３２】
次に、この器具を差し込んだことによりできた筋肉と筋膜との隙間に、頬骨弓安定具Ｋの固定補助体１を頬骨弓Ｂと対応する位置まで差し込んで入れる。固定補助体１は両方の膨縮部１００，１００ａを縮めた状態で差し込む。そして、レントゲン写真（撮像）等を診ながら、固定補助体１の凹部形成部１０１が頬骨弓Ｂと対応し、それぞれの膨縮部１００，１００ａが頬骨弓Ｂの内方側にあたる上部側と下部側に設けられるよう配置する。
【００３３】
固定補助体１を上記位置に配置した状態で、ピストン部材２１をシリンダ部材２０内に押し込む。シリンダ部材２０には、空気が充填されている。こうして弁装置３３及び流通路３２１から外管３０と内管３１の間に形成された隙間３４を通して、空気を固定補助体１の外管体１０と内管体１１の間の隙間１４に送る。
【００３４】
固定補助体１は、外管体１０と内管体１１の隙間１４に空気が送られることによって、他の部分よりも薄肉状に形成してある両方の膨縮部１００，１００ａが球体形状を有するよう膨らむ。膨縮部１００，１００ａは、頬骨弓Ｂの上部側と下部側にあたる位置に配置してあるので、これにより頬骨弓Ｂは、凹部形成部１０１によって内方側から押さえられたような状態になり、かつ膨らんだ両方の膨縮部１００，１００ａによって挟まれた状態となる。こうして頬骨弓Ｂは整復した状態で動かないよう安定でき、しかもその状態が維持できる。
【００３５】
頬骨弓安定具Ｋは、頬骨弓Ｂがある程度つながるまで、体内に入れたままの状態にしておく。頬骨弓安定具Ｋを体内に入れたままにしておくことにより、頬骨弓Ｂの周りに僅かながら空間が形成され、その空間を埋めようとして血液等の体液が溜まるようになる。このような体液は、感染症を発症させる原因にも成り兼ねず不衛生なので、体内から除去することが好ましい。
【００３６】
頬骨弓安定具Ｋには、固定補助体１及び管体３が二重管構造を有しており、内管挿通路３２０を通って出た内管３１の接続部３１０に吸引装置（図示省略）が設けてあるので、内管体１１の先端に形成した開口部１３から内管３１の内部を通して上記体液を吸引して体外へ排出することができる。なお、本実施の形態では内管３１の内部を通して体液を吸引する場合を例示したが、内管３１の使い方としては、例えば、内部を通して体内へ薬液等を供給したりすることも可能である。
【００３７】
頬骨弓Ｂを動かないようにしていた固定補助体１は、弁装置３３を操作して膨縮部１００，１００ａから空気を引き、縮ませることで頬骨弓Ｂを挟んでいた状態を解除して体内から抜いて取り外される。
【００３８】
このように頬骨弓安定具Ｋによれば、頬骨弓Ｂを整復した状態で動かないよう安定でき、しかもその状態が維持できるので、多少の外力が加わった場合でも正常な位置からずれ難くなる。従って、患者は今までのような安静状態でなく、ある程度通常と同じような生活をしながら治療できる。つまり、頬骨弓骨折の治療において患者の負担を軽減することができる。
【００３９】
また、頬骨弓安定具Ｋは、例えば、頬骨弓のつけ根部分など、整復した状態を安定して維持することが難しかったような骨折でも、整復後にずれてしまう前に動かないようにすることができる。つまり、頬骨弓安定具Ｋは、このような折れ方の場合でも元の状態に戻すことができる。
【００４０】
頬骨弓安定具Ｋは、ポンプ装置２により空気を固定補助体１に送って膨縮部１００，１００ａを膨らませるだけの操作なので、取り扱いが簡単である。従って、頬骨弓安定具Ｋは操作に熟練を要さない。
【００４１】
本実施の形態で示す頬骨弓安定具Ｋにおいて、内管体１１と内管３１は一体のもの、即ち、内管３１を外管体１０内に差し込んで内管体１１を形成したが、これは限定するものではなく、内管体１１と内管３１は別体のものを気密（または液密）状態で繋いで設けることもできる。
【００４２】
本実施の形態で外管体１０と内管体１１は、合成樹脂で形成したものを示したが、これは限定するものではなく、例えば、材料は、合成ゴムやシリコン等を使用することもできる。
【００４３】
また、本実施の形態で外管体１０は、膨縮部１００，１００ａにあたる部分の管厚を凹部形成部１０１や他の部分よりも薄くなるよう形成したが、外管体１０の構造はこれに限定するものではない。外管体１０と内管体１１の隙間１４に空気等の流体が送られたときに膨縮部１００，１００ａが膨らみ、凹部形成部１０１は変形しないようにできれば、例えば、外管体の略全体を膨張可能な材料で形成し、その所要位置に膨張しない材料で形成された部材を設けて、その部分が膨らまないようにして形成することもできる。
【００４４】
本実施の形態において膨縮部１００，１００ａは、ポンプ装置２によって送られた空気によって膨らむようにしたが、これは限定するものではなく、固定補助体１を引き抜くときに膨縮部１００，１００ａを縮ませることができれば、例えば、他の気体や液体を使用することもできる。例えば、膨縮部を膨らませる手段として液体である造影剤を使用した場合では、レントゲン撮影時に膨縮部１００の状態が把握し易い。また、流体を送ったりするポンプ装置２も注射器に限定するものではなく、公知のポンプ構造のものが使用できる。
【００４５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４６】
【図１】本発明に係る頬骨弓安定具の一実施の形態を示す説明図。
【図２】図１に示す頬骨弓安定具の先端に設けた固定補助体を示す拡大説明図。
【図３】整復した頬骨弓の内方側に固定補助体を配置し、膨縮部を膨らませて頬骨弓が動かないよう安定させた状態を示す要部拡大説明図。
【図４】図３に示す状態を下側から断面視して示す説明図。
【図５】右側の頬骨弓の骨折状態を示す説明図。
【図６】図５に示す頬骨弓の骨折状態を下側から断面視して示す説明図。
【符号の説明】
【００４７】
Ｋ  頬骨弓安定具
Ｂ  頬骨弓
１  固定補助体
１０  外管体
１００  膨縮部
１０１  凹部形成部
１１  内管体
１２  閉塞部
１３  開口部
１４  隙間
２  ポンプ装置
２０  シリンダ部材
２００  指掛部
２１  ピストン部材
２１０  指載部
２２  接続管
３  管体
３０  外管
３１  内管
３１０  接続部
３２  分岐管
３２０  内管挿通路
３２１  流通路
３３  弁装置
３４  隙間
【図１】
2008188029.tif 000003
【図２】
2008188029.tif 000004
【図３】
2008188029.tif 000005
【図４】
2008188029.tif 000006
【図５】
2008188029.tif 000007
【図６】
2008188029.tif 000008